(57)【要約】      （修正有）【課題】室内空気洗浄機構造を提供する。【解決手段】室内空気洗浄機構造は、本体１０、不織布ろ過層２０、ＨＥＰＡろ過層３０及びオゾン発生器４０を含んで構成される。本体の後端は、開放端１１であり、内部にガイドファン１４及びオゾン発生器が設けられ、排気口１５に対応する箇所に不織布ろ過層及びＨＥＰＡろ過層が設けられ、これにより、本体のガイドファンが起動した後、本体内に乱れ動く気流を形成し、本体の吸気箇所に外部の吸気を吸入させ、不織布ろ過層及びＨＥＰＡろ過層のろ過を経て、本体の後端の乱流室１３内において、乱れ動くオゾンと混合させた後、空気とともに排気口から送出させる。【選択図】図２
0003233583.tif 000002
【実用新案登録請求の範囲】
【請求項１】
本体と、不織布ろ過層と、ＨＥＰＡろ過層と、オゾン発生器と、を含んで構成され、
前記本体は、ハウジングであり、後端は、開放端であり、内部は、ろ過室及び乱流室に区分され、乱流室の上方に一組のガイドファンが設けられ、ガイドファンの排気位置に対応して排気口が設置され、
前記不織布ろ過層は、不織布材質で形成されるろ過層であり、本体のろ過室の外側に嵌合され、該本体の開放端を閉鎖し、外部の空気が開放端から吸入される時、不織布ろ過層を通過させ、
前記ＨＥＰＡろ過層は、ガラス繊維で織られたろ過網からなり、不織布ろ過層の近傍、本体のろ過室の後端に取り付けられ、不織布ろ過層を通過した空気が更にＨＥＰＡろ過層を経て本体の乱流室に入り、
前記オゾン発生器は、本体の乱流室の下方に取り付けられ、オゾン発生器は、制御モジュール、赤外線人体センサ及び乱流ファンを含み、
前記オゾン発生器の制御モジュールは、設定によって定時、定量で本体の乱流室にオゾンを発生し、前記赤外線人体センサは、制御モジュールと電気接続し、赤外線人体センサは、本体表面に取り付けられ、人員が赤外線人体センサのセンシング範囲に入る時、制御モジュールによってオゾン発生器に所定秒数オゾンを噴出するよう通知することができ、前記乱流ファンは、オゾン発生器が発生するオゾンを吸収し、乱れ動く気流を形成することができ、本体のガイドファンの起動後、本体に開放端を通じて外部の空気を吸入させ、不織布ろ過層及びＨＥＰＡろ過層のろ過を経て、乱れ動くオゾンと混合させた後、空気とともに排気口から送出することができる、室内空気洗浄機構造。
【考案の詳細な説明】
【技術分野】
【０００１】
本考案は、室内空気清浄機構造に関し、特に、室内の空気に対して効率的なろ過を行い、更に、優れた空気の質を提供するように補助する空気清浄機構造に関する。
【背景技術】
【０００２】
空気の質が人間の健康に与える影響は、重要なテーマになっており、特に住宅、オフィス、または他の建物を含む屋内空間において、空気の質は、職員の情緒、健康、および作業効率等に直接影響する。
現在の室内環境では、浮遊粒子、異臭、揮発性ガス、さらには細菌、ウイルス等の人体に有害な物質が蔓延しており、現在垣間見える空気洗浄設備は、静電集塵、多層ろ過、活性炭、マイナスイオン等を用いて室内空気洗浄を行う方法があり、それら設備は、何れも利点と欠点があるが、人体を間接的に洗浄、消毒する設計を有していない。高品質の室内空気品質を作り出すこと、更には、人そのものの洗浄消毒は、多くの業者が開発に尽力する目標とすべきことである。
【０００３】
したがって、本考案者は、前述の室内空気洗浄設備分野に対して深く検討し、更に長年関連業界に従事した豊富な設計開発及び実際の製造の経験により、上記分野に存在する理想的でない点について、長時間の思考、実験及び修正を経て、本考案を設計し、より理想的な効果を達成可能にしている。
【先行技術文献】
【特許文献】
【０００４】
【特許文献１】特開２０１６−１０７９３号公報
【特許文献２】特開２０１５−２１７２０９号公報
【考案の概要】
【考案が解決しようとする課題】
【０００５】
本考案の目的は、従来の室内空気洗浄設備の使用上理想的でない問題を改善し、室内空気に対して効率的なろ過を行い、優れた空気の質を提供することを補助する空気洗浄機を提供することである。
【課題を解決するための手段】
【０００６】
上記目的を達成するための本考案の室内空気洗浄機構造の具体的手段は、本体と、不織布ろ過層と、ＨＥＰＡろ過層と、オゾン発生器とから構成され、
前記本体は、ハウジングであり、後端は、開放端であり、内部に一組のガイドファン、一組の乱流ファン及びオゾン発生器が設けられ、ろ過室及び乱流室に区分され、乱流室の上方に一組のガイドファンが設けられ、ガイドファンの排気位置に対応して排気口が設置され、
前記不織布ろ過層は、不織布材質で形成されるろ過層であり、本体のろ過室の外側に嵌合され、該本体の開放端を閉鎖し、外部の空気が開放端から吸入される時、不織布ろ過層を通過させ、
前記ＨＥＰＡろ過層は、ガラス繊維で織られたろ過網からなり、不織布ろ過層の近傍、本体のろ過室の後端に取り付けられ、不織布ろ過層を通過した空気が更にＨＥＰＡろ過層を経て本体の乱流室に入り、
前記オゾン発生器は、本体の乱流室の下方に取り付けられ、オゾン発生器は、制御モジュール、赤外線人体センサ及び乱流ファンを含み、
前記オゾン発生器の制御モジュールは、設定によって定時、定量で本体の乱流室にオゾンを発生し、前記赤外線人体センサは、制御モジュールと電気接続し、赤外線人体センサは、本体表面に取り付けられ、人員が赤外線人体センサのセンシング範囲に入る時、制御モジュールによってオゾン発生器に所定秒数オゾンを噴出するよう通知することができ、前記乱流ファンは、オゾン発生器が発生するオゾンを吸収し、乱れ動く気流を形成することができ、本体のガイドファンの起動後、本体に開放端を通じて外部の空気を吸入させ、不織布ろ過層及びＨＥＰＡろ過層のろ過を経て、乱れ動くオゾンと混合させた後、空気とともに排気口から送出することができる。
【０００７】
具体的実施形態において、前記不織布ろ過層は、不織布材質で形成されるろ過層である。
【０００８】
具体的実施形態において、前記ＨＥＰＡろ過層は、０．５〜２．０μｍの直径のガラス繊維が任意に織られたろ過網からなる。
【０００９】
具体的実施形態において、前記オゾン発生器は、制御モジュールを備え、人為的な設置によって定時、定量で本体の乱流室にオゾンを発生することができ、人員が本体前に立つことによって数秒後に自動センシングして数秒オゾンを噴出し、オゾン気流噴出洗浄を行うことができる。
【考案の効果】
【００１０】
本考案の空気洗浄機構造は、従来の室内空気洗浄設備の使用上理想的でない問題を改善し、室内空気に対して効率的なろ過を行い、優れた空気の質を提供することを補助する。
【図面の簡単な説明】
【００１１】
【図１】本考案の立体構造図である。
【図２】本考案の内部構造の平面分解構造である。
【図３】本考案の内部構造の組み立て構造図である。
【図４】本考案の使用参考図である。
【考案を実施するための形態】
【００１２】
本考案の技術内容、特長及び効果について、参考図面を合わせた好適実施形態により詳細に説明する。また、本考案について詳細に説明する前に特に説明すべきこととして、図面は、本考案の基本構造を説明するためのものであり、図面では、本考案と関連する構造又は部材のみを表示し、且つ表示する構造の形状、寸法、比率は又は部材の数等は、選択的設計である。
【００１３】
本考案の構造及びそれが達成する効果について、図面を合わせて以下に説明する。
【００１４】
まず、図１に示される本考案の好適実施形態の立体構造図、及び図２、図３で示される本考案の好適実施形態の構造の平面図を参照する。図に示すように、本考案は、本体１０、不織布ろ過層２０、ＨＥＰＡ（High Efficiency Particulate Air）ろ過層３０及びオゾン発生器４０を含んで構成される。
【００１５】
前記本体１０は、ハウジングであり、後端は、開放端１１であり、内部は、ろ過室１２及び乱流室１３に分けられ、乱流室１３の上方にガイドファン１４が設けられ、ガイドファン１４の排気位置に対応して排気口１５が設けられる。
【００１６】
前記不織布ろ過層２０は、不織布材質で形成されるろ過層であり、前記不織布ろ過層２０は、本体１０のろ過室１２の外側に嵌合され、前記本体１０の開放端１１を閉鎖し、外部の空気がハウジングの開放端１１から吸入される時、空気が不織布ろ過層２０を通過するようにする。
【００１７】
前記ＨＥＰＡろ過層３０は、０．５μｍ〜２．０μｍの直径のガラス繊維が任意に織られたろ過網からなり、不織布ろ過層２０の近傍、本体１０のろ過室１２の後端に取り付けられ、不織布ろ過層２０を通過した空気が更にＨＥＰＡろ過層３０を経て本体１０の乱流室１３に入る。前記ＨＥＰＡろ過層３０は、遮断、衝突、拡散の方式で空気中の分子粒子を阻止又は遅延させてガラス繊維のろ過層に流し、空気はＨＥＰＡろ過層３０を通過できるが、細かい微粒は有効に遮断されるようにする。
【００１８】
前記オゾン発生器４０は、本体１０の乱流室１３の下方に取り付けられ、それは、制御モジュール４１を備え、人為的な設定によって定時、定量に本体１０の乱流室１３にオゾンを発生させることができる。前記オゾン発生器４０は、また、赤外線人体センサ４２を含み、それは、制御モジュール４１と電気接続し、赤外線人体センサ４２は、本体１０の表面に取り付けられ、人員が赤外線人体センサ４２のセンシング範囲に入る時、制御モジュール４１によってオゾン発生器４０に所定秒数オゾンを噴出するよう通知することができる。
前記オゾン発生器４０は、更に乱流ファン４３を含み、前記乱流ファン４３によってオゾン発生器４０が発生するオゾンを吸収し、乱れ動く気流を形成することができる。前記オゾン発生器４０がオゾンを発生する方式は、限定しないが、例えば、紫外線法、電気分解法、感電法、コロナ法等であり、そのうちのコロナ法は、放電手段を利用し、石英ガラス、耐熱ガラス、セラミック又はステンレス等を導体として、直流高電圧電流を通過させ、接地電極と発生するコロナ放電現象、即ち、分解反応でオゾンを発生する方式が好ましい。
尚、オゾンは、極めて強い浄化殺菌作用を有し、細菌又はウイルスに浸透しそれを酵素に変化させ、また、オゾンは、異臭を分解する効果も融資、負電荷を帯びたオゾンを用いて正電荷を多く帯びた異臭分子と結合させた後に、脱臭効果を達成することができる。制御モジュール４１は、また、オゾンの発生量を制御することができ、オゾンに空気中の濃度を安全な範囲（０．１ｐｐｍ）以下に制限させ、人体の安全を確保する。
【００１９】
本考案を図４に示す使用説明参考図を参照して説明する。
上記本考案の部材構造設計に基づき、前記本体１０内の内部は、ろ過室１２と乱流室１３に分けられ、不織布ろ過層２０及び前記ＨＥＰＡろ過層３０は、ろ過室１２の空間に取り付けられ、且つ不織布ろ過層２０に前記本体１０の開放端１１を閉鎖させる。前記オゾン発生器４０は、本体１０の乱流室１３の下方に取り付けられ、乱流室１３の上方は、ガイドファン１４を有し、ガイドファン１４の排気位置に対応して排気口１５が設けられる。
【００２０】
したがって、前記オゾン発生器４０が発生するオゾンは、乱流ファン４３の吸収によって乱れ動く気流を形成し、ガイドファン１４の起動後、本体１０の乱流室１３内で乱れ動く気流を形成する以外に、空気を排気口１５から送出し、乱流室１３に負圧を形成させ、同時に本体１０に開放端１１によって外部の空気をろ過室１２へ吸入させ、吸入した空気が不織布ろ過層２０及びＨＥＰＡろ過層３０のろ過を経て、空気が洗浄された後に乱流室１３に送り、前記オゾン発生器４０は、また、定時、定量にオゾンを発生することができ、乱れ動く気流と混合した後、空気とともに排気口１５から送出する。
【００２１】
好適な実施形態において、前記本体１０の排気口１５の位置の高さは、人の胸、腰の位置に位置し、排気口１５が送出するろ過洗浄空気を直接人に吹き付けることができる。
【００２２】
上記本考案の構造設計に基づき、発生できる優れた利点は、以下である。
１．前記不織布ろ過層２０、ＨＥＰＡろ過層３０の設置は、空気中の浮遊粒子、不純物、灰塵、異臭等を効率的にろ過することができ、良質な空気の提供に良好に貢献する。
２．オゾン発生器４０は、定時、定量に安全濃度値のオゾンを発生することができ、乱れ動く気流を送出空気と混合し、空気中のオゾン分子を用いて室内の空気に対して浄化殺菌作用を発生、及び異臭を分解する臭気浸透効果を発生する。
３．本体１０全体の設計により、人の胸、腰の位置を吹くことができ、従って、特に、出入り口、人の活動が密集する箇所に適用して室内の空気の洗浄を行うことができる。
４．前記オゾン発生器４０の赤外線人体センサ４２は、本体１０の前端のセンシング範囲内に入る人をセンシングし、制御モジュール４１によりオゾン発生器４０に数秒オゾンを発生するように通知し、オゾン気流洗浄を行い、消毒滅菌の効果を達成する。
５．前記オゾン発生器４０の赤外線人体センサ４２の設置によって、人の手がボタンスイッチに接触することを避けることができ、接触がもたらすウイルス感染を減少する。
【００２３】
本考案を要約すると、本体１０、不織布ろ過層２０、ＨＥＰＡろ過層３０及びオゾン発生器４０の設計を組み合わせ、室内の空気をろ過、殺菌及び脱臭し、空気の品質の向上を補助する以外に、範囲内の人の健康保障を高めることができる。しかしながら、上記部材の構造内容は、本考案の好適実施形態を説明するためのものであり、本考案の構造を制限するものではなく、従って、同じ精神の下で行われる均等の修飾又は変更は、何れも本考案の保護範疇に含まれるべきである。
上記のように、本考案は、多くの利点を有し、顕著な慈雨用特性を有し、且つそれが運用する技術手段及びその構造特徴は、確かに本考案者が研究開発したものであり、その構造は、これまでに未聞である。
【符号の説明】
【００２４】
１０  本体
１１  開放端
１２  ろ過室
１３  乱流室
１４  ガイドファン
１５  排気口
２０  不織布ろ過層
３０  ＨＥＰＡろ過層
４０  オゾン発生器
４１  制御モジュール
４２  赤外線人体センサ
４３  乱流ファン
【図１】
0003233583.tif 000003
【図２】
0003233583.tif 000004
【図３】
0003233583.tif 000005
【図４】
0003233583.tif 000006